(57)【要約】【課題】遊技機本体に対する前面扉の開放によって露出する部分及び遊技機本体の背面部への不正に対する抑止力を高めることができる遊技機を提供する。【解決手段】パチンコ機１０は、外枠１１に対して回動可能に支持された本体枠１３を備えており、さらに本体枠１３の前方には前扉枠１４が設けられている。前扉枠１４は、本体枠１３に対して回動可能に支持されている。前扉枠１４には、遊技機後方に向かって突出するようにして金属性の柱部材６５が立設されており、柱部材６５には、フックの引っ掛けが可能な孔部６８が形成されている。パチンコ機１０の後方にはワイヤの巻き取りが可能な巻取機が設置されており、ワイヤには、孔部６８に引っ掛けられるフックが接続されている。【選択図】      図２
2008220809.tif 000002
【特許請求の範囲】
【請求項１】
取付対象から遊技機前方への開放が可能とされ、前記取付対象に対して閉鎖状態にある場合に背面部が遊技機前方からの非露出状態となる遊技機本体と、
前記遊技機本体の前面側に設けられるとともに、該遊技機本体から遊技機前方への開放が可能とされ、前記遊技機本体に対して閉鎖状態にある場合に前記遊技機本体の前面部のうち少なくとも一部を非露出状態とする前面扉と
を備えた遊技機において、
線状体を引き出したり引き戻したりする線処理機及び当該線状体が連結される連結体を含んで構成されるロック装置における、前記線処理機又は連結体の一方が前記前面扉に設けられ、
前記前面扉及び前記遊技機本体がいずれも前記閉鎖状態にあり、かつ前記線処理機又は連結体の他方が前記前面扉よりも遊技機後方に配置されていて前記線処理機による線状体の引き出しが禁止された場合に、前記前面扉の開放が規制されるものであることを特徴とする遊技機。
【発明の詳細な説明】
【技術分野】
【０００１】
本発明は、遊技機に関するものである。
【背景技術】
【０００２】
遊技機の一種であるパチンコ機には、島設備に対して前方への開放が可能な遊技機本体と、遊技機本体の前面側に取り付けられた前面扉とが備えられている。遊技機本体の前面側には、遊技領域が形成された遊技盤が設けられており、遊技領域には入賞口、入賞装置等の各種遊技機器が設けられている。そして、遊技者により遊技球発射ハンドルが操作されると遊技球が遊技領域に向けて発射される。発射された遊技球が入賞口や入賞装置などに入賞すると、それに伴い所定個数の遊技球が払い出される（例えば、特許文献１参照）。
【０００３】
前面扉は遊技機本体に対して前方への開放が可能になっており、前面扉が遊技機本体に対して閉鎖状態にある場合は遊技盤が前面扉により覆われている。前面扉にはガラス等の透明板が遊技盤前面を覆うようにして配設されており、前面扉が閉鎖状態にある場合でもパチンコ機の前方から遊技領域が視認可能となっている。遊技領域は、前面扉が開放されると遊技機前方に露出するようになっており、ホール管理者等により正規に前面扉が開放された場合に遊技領域に対するメンテナンスなどが行われることとなる。
【特許文献１】特開２００６−１２２７１０号公報
【発明の開示】
【発明が解決しようとする課題】
【０００４】
しかしながら、不正行為者により前面扉が遊技機本体に対して不正に開放された場合、不正行為者に対して不正に利益が付与されるおそれがある。例えば、遊技領域において、入賞装置が手で強制的に開放されてその入賞装置や入賞口に遊技球が手で直接入賞されると、遊技球が不正行為者に対して不正に払い出されてしまう。
【０００５】
また、遊技機本体が島設備に対して不正に開放された場合も、不正行為者に対して不正に利益が付与されるおそれがある。遊技機本体の背面側には、遊技に関する主要な制御を司る主制御装置などが配置されており、例えば主制御装置に不正信号が入力された場合、遊技球が不正行為者に対して不正に払い出されてしまう可能性があるためである。
【０００６】
なお、不正行為者による不正行為は、遊技領域及び主制御装置だけを対象とするものではなく、遊技機本体に設けられた他の遊技部品等なども対象とするものであると考えられる。また、前記不正行為は、パチンコ機に対してのみ行われるものではなく、島設備などの取付対象に対して開閉可能に取り付けられた遊技機本体と、遊技機本体の前面側に開閉可能に取り付けられた前面扉とを有するその他の遊技機に対しても行われるものであると考えられる。
【０００７】
本発明は、上記事情に鑑みてなされたものであり、遊技機本体に対する前面扉の開放によって露出する部分及び遊技機本体の背面部への不正に対する抑止力を高めることができる遊技機を提供することを目的とするものである。
【課題を解決するための手段】
【０００８】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００９】
手段１．取付対象（島設備Ｓ、外枠１１）から遊技機前方への開放が可能とされ、前記取付対象に対して閉鎖状態にある場合に背面部が遊技機前方からの非露出状態となる遊技機本体（本体枠１３）と、
前記遊技機本体の前面側に設けられるとともに、該遊技機本体から遊技機前方への開放が可能とされ、前記遊技機本体に対して閉鎖状態にある場合に前記遊技機本体の前面部のうち少なくとも一部を非露出状態とする前面扉（前扉枠１４）と
を備えた遊技機において、
線状体（ワイヤ２５５）を引き出したり引き戻したりする線処理機（巻取機２５１）及び当該線状体が連結される連結体（柱部材６５）を含んで構成されるロック装置における、前記線処理機又は連結体の一方が前記前面扉に設けられ、
前記前面扉及び前記遊技機本体がいずれも前記閉鎖状態にあり、かつ前記線処理機又は連結体の他方が前記前面扉よりも遊技機後方に配置されていて前記線処理機による線状体の引き出しが禁止された場合に、前記前面扉の開放が規制されるものであることを特徴とする遊技機。
【００１０】
手段１によれば、遊技機本体の背面部は、遊技機本体が取付対象に対して閉鎖状態にある場合に遊技機前方からの非露出状態となっており、遊技機本体の前面部のうち少なくとも一部は、前面扉が遊技機本体に対して閉鎖状態にある場合に非露出状態となっている。ここで、前面扉は遊技機本体の前面側に設けられているため、単に前面扉の遊技機前方への開放を規制するだけで、前面扉に加えて遊技機本体の遊技機前方への開放を同時に規制することが可能となる。
【００１１】
特に、ロック装置の線処理機又は連結体の一方を前面扉に設けるとともに他方を前面扉よりも遊技機後方に配置し、ロック装置にて線処理機による線状体の引き出しが禁止された場合に、前面扉の開放が規制される構成とした。このため、前面扉を開放させるには、ロック装置にて線処理機による線状体の引き出しの禁止を解除する必要がある。したがって、例えば不正行為者が遊技機本体及び前面扉を開放させようとしても、それが困難なものとなっている。故に、遊技機本体に対する前面扉の開放によって露出する部分及び遊技機本体の背面部への不正に対する抑止力を高めることができる。
【００１２】
また、前面扉において、その遊技機本体側に何らかの不正対象物が存在したり前面扉の遊技機本体側が不正対象となり得たりするのであれば、それらに対する不正抑止効果を得ることができる。
【００１３】
なお、線状体が非伸縮性を有するものであるとより一層好ましい。この場合、ロック装置にて線処理機による線状体の引き出しを禁止することで、前面扉の開放をより確実に規制することが可能となる。ここでいう非伸縮性とは、伸縮性が全くないものに限らず、仮に伸縮性があるとしても、遊技機前方に向かう外力が前面扉に加えられた場合に遊技機本体と前面扉との間から不正道具等を差し入れるなどして行われる不正に対して抑止力を発揮することが可能となる程度の伸縮性を限度とする意味である。
【００１４】
手段２．手段１において、前記線処理機又は連結体の一方は、前記前面扉の背面部に設けられていることを特徴とする遊技機。
【００１５】
手段２によれば、線処理機又は連結体の一方が前面扉の背面部に設けられている。ここで、線処理機又は連結体の他方は前面扉よりも遊技機後方に配置されているため、線処理機と連結体とを線状体により連結する構成を簡易なものとしつつ、線処理機，連結体，線状体の配置関係をロック装置を構築する上で無理のないものとすることができる。また、前面扉が閉鎖状態にあるにも関わらず遊技機前方から線状体が切断されるなどの不都合の発生を抑制することができる。
【００１６】
手段３．手段１又は２において、前記前面扉は一方の端部が開放基端側とされるとともに他方の端部が開放先端側とされており、
前記線処理機又は連結体の一方は、前記前面扉の開放先端側に設けられていることを特徴とする遊技機。
【００１７】
手段３によれば、線処理機又は連結体の一方が前面扉の開放先端側に設けられているため、開放先端側にて前面扉の開放を規制することができる。これにより、開放方向に向かう外力が前面扉に加えられた場合に、開放基端側にて前面扉の開放を規制する構成と比して、より大きな外力に抗して前面扉の開放を規制することが可能となる。すなわち、より確実に前面扉の開放を規制することが可能となる。
【００１８】
手段４．手段３において、前記前面扉は前記遊技機本体に対する閉鎖状態にて施解錠する施錠装置（鉤金具５７等）を備えるとともに、その施錠装置は前記前面扉の開放先端側に沿って配設されており、
前記線処理機又は連結体の一方は、前記施錠装置に固定されていることを特徴とする遊技機。
【００１９】
手段４によれば、前面扉の開放先端に沿って施錠装置が配設されており、その施錠装置に線処理機又は連結体の一方が固定されている。また、施錠装置は前面扉の開放先端側に沿って配設されているため、線処理機又は連結体の一方を前面扉に対して強固に固定することが可能となる。さらに、施錠装置の強度を高めることでロック装置の強度も高められるため、不正行為者により前面扉を強引に開放されるといった不都合の発生をより確実に抑制することができる。
【００２０】
手段５．手段１乃至４のいずれかにおいて、前記線処理機又は連結体の一方は、前記前面扉の角隅部位に配設されていることを特徴とする遊技機。
【００２１】
手段５によれば、線処理機又は連結体の一方は前面扉の角隅部位に配設されているため、遊技機本体及び前面扉が開放されても、線処理機及び連結体に連結される線状体が遊技機本体及び前面扉の角隅周辺に位置することとなる。したがって、例えばホール管理者などがメンテナンスを行う際において、最も作業の邪魔になりにくい位置に線状体を配置させることが可能となる。
【００２２】
手段６．手段１乃至５のいずれかにおいて、前記前面扉には前記連結体が設けられていることを特徴とする遊技機。
【００２３】
手段６によれば、前面扉には連結体が設けられている。線処理機は線状体を引き出したり引き戻したりする構成となっており連結体は線状体が連結されるだけの構成となっているため、連結体の方が小型かつ簡易な構成とすることが可能と考えられる。これにより、前面扉には連結体を設けることで、前面扉という限られた領域でもロック装置の一部（連結体）の設置が可能となり、さらには、その領域を有効に用いることができる。
【００２４】
手段７．手段６において、前記連結体には、前記線状体が引っ掛けられる被引っ掛け部（孔部６８）が設けられていることを特徴とする遊技機。
【００２５】
手段７によれば、連結体の被引っ掛け部に線状体が引っ掛けられている。このため、連結体と線状体との連結作業を簡易なものとすることが可能となり、さらには、その作業性を高めることができる。
【００２６】
手段８．手段７において、前記被引っ掛け部は、前記連結体に形成された孔部であることを特徴とする遊技機。
【００２７】
手段８によれば、連結体に孔部が形成されることで被引っ掛け部が構成されている。このため、被引っ掛け部を孔形成のみで構成することができ、被引っ掛け部の製造を容易なものとすることができる。
【００２８】
手段９．手段５乃至８のいずれかにおいて、前記連結体は、遊技機後方へ突出するとともに板面を左右に向けた板状に形成されていることを特徴とする遊技機。
【００２９】
手段９によれば、連結体は、遊技機後方へ突出するとともに板面を左右に向けた板状になっている。遊技機では内部の領域が限られており、特に左右方向における各種機器の配置が制限されている。したがって、連結体の左右方向の幅を小さくすることで他の機器に干渉することなく連結体を配置することが可能となる。ここで、連結体を左右方向の幅に加えて上下方向の幅も小さい構成とすると、連結体の強度確保が困難なものとなるおそれがある。これに対し、本構成では連結体を板面が左右に向いた板状としたため、連結体の強度を確保しつつ、連結体を無理なく配置することが可能となる。
【００３０】
手段１０．手段１乃至９のいずれかにおいて、前記遊技機本体には、前記線状体が通される線通路部（貫通孔７８）が形成されていることを特徴とする遊技機。
【００３１】
手段１０によれば、遊技機本体に線通路部が形成されているため、遊技機本体の前後にそれぞれ連結体と線処理機を配置しても、線通路部に線状体を通すことで連結体と線処理機とを線状体にて連結することが容易なものとなる。
【００３２】
手段１１．手段１０において、前記線通路部は前記遊技機本体を前後に貫通する貫通孔であることを特徴とする遊技機。
【００３３】
手段１１によれば、線通路部は、遊技機本体を前後に貫通する貫通孔により形成されている。このため、線状体を遊技機本体に沿って迂回させる必要がなくなるため、遊技機外部から線状体が不正に切断されるといった不都合を抑制することが可能となる。また、遊技機本体に貫通孔を形成するだけで線通路部を形成することができるため、線通路部の製造を容易なものとすることができる。
【００３４】
なお、貫通孔の内周部を金属製の貫通孔形成部材などにより形成することで、遊技機本体の開放動作などに伴って線状体が貫通孔の内周部と擦れ合った場合でも、貫通孔が不要に拡大するといった不都合を抑制することが可能となる。
【００３５】
手段１２．手段１０又は１１において、前記線通路部は、前記前面扉に設けられた前記線処理機又は連結体の一方と対峙する位置に設けられていることを特徴とする遊技機。
【００３６】
手段１２によれば、線通路部は前面扉に設けられた線処理機又は連結体の一方と対峙する位置に設けられているため、線状体により線処理機と連結体とを最短距離で連結することができる。さらに、遊技機本体の開閉動作に際して線状体が支障となりにくくなり、遊技機本体をスムーズに開閉させることが可能となる。
【００３７】
手段１３．手段１２において、前記前面扉には前記連結体が設けられており、該連結体は、前記線通路部を貫通して遊技機本体の後方へ突出するものであり、さらにその突出部位において前記線状体と連結されるものであることを特徴とする遊技機。
【００３８】
手段１３によれば、連結体は、線通路部を貫通して遊技機本体の後方へ突出しており、その突出部位において線状体と連結されている。このため、前面扉が遊技機本体に対して閉鎖状態にある場合は、線状体と遊技機本体と干渉を回避することが可能となる。また、この場合、線状体が遊技機本体の後方にのみ存在することとなるため、例えば遊技機本体と前面扉との間などからの線状体の切断を極めて困難なものとすることができる。これにより、前面扉の不正開放をより確実に規制することができる。さらに、本構成を手段９に適用した場合、線通路部を、板面を左右に向けた板状の連結体が貫通可能な大きさとすればよいため、貫通孔の左右方向の幅を小さくすることで他の機器に干渉することなく連結体を配置することが可能となる。これにより、遊技機本体という限られた領域に無理なく線通路部を形成することが可能となる。
【００３９】
手段１４．手段１乃至１３のいずれかにおいて、前記遊技機本体及び前面扉を支持する外枠（外枠１１）を備え、該外枠は前記取付対象に取り付けられるものであり、前記外枠に前記線処理機が設けられていることを特徴とする遊技機。
【００４０】
手段１４によれば、遊技機本体及び前面扉を支持する外枠が備えられており、その外枠に線処理機が設けられている。この場合、連結体は前面扉に設けることとなるため、ロック装置の全てを遊技機に搭載することが可能となる。これにより、取付対象にロック装置の一部を設置する必要がないため、遊技機自身にて遊技機本体及び前面扉の不正開放を規制する構成を実現することができる。したがって、遊技機を設置する際、ロック装置を遊技機以外の部分に設置する必要がないため、遊技機の設置作業をより簡易なものとすることができる。
【００４１】
手段１５．手段１４において、前記線処理機は、前記線状体を巻き取ったり繰り出したりする巻取機（巻取機２５１）であることを特徴とする遊技機。
【００４２】
手段１５によれば、線処理機としての巻取機により、線状体が巻き取られたり繰り出されたりする。前面扉が閉鎖状態にある場合などは、前面扉が大きく開放された状態にある場合に比して線処理機と連結体との距離が短くなるため、線状体の繰り出し量が少なくなり線状体の余剰分が多く発生することとなる。ここで、本構成とすることにより、線状体の余剰分が多く発生してもその線状体を巻き取ることが可能となるため、線状体が錯綜するといった不都合の発生を抑制することができる。
【００４３】
手段１６．手段１４又は１５において、前記線処理機は、線状体の引き出しを禁止する禁止状態と線状体の引き出しを許容する許容状態とに切り替え可能とされていることを特徴とする遊技機。
【００４４】
手段１６によれば、線処理機を禁止状態（保持状態）とすることで線状体の引き出しが禁止され、許容状態（解除状態）とすることで線状体の引き出しが許容される。これにより、線処理機を禁止状態とすることで前面扉の不正開放を規制することができる。一方、線処理機を許可状態とすることで前面扉を開放させることが可能となる。故に、遊技機本体に対する前面扉の開放によって露出する部分及び遊技機本体の背面部への不正に対する抑止力を高める構成としつつ、正規な操作を行うことで前面扉を容易に開放することが可能な構成とすることができる。
【００４５】
手段１７．手段１６において、外部操作手段による遠隔操作処理により、前記線処理機は前記禁止状態から許容状態に切り替えられるものであることを特徴とする遊技機。
【００４６】
手段１７によれば、外部操作手段による遠隔操作処理により、線処理機の禁止状態から許可状態への切り替えが行われる。このため、外部操作手段による遠隔操作処理を行わなければ前面扉を開放させることができない。不正行為者は外部操作手段を所持することができないため、前面扉の不正開放をより好適に規制することができる。
【００４７】
手段１８．手段１４乃至１７のいずれかにおいて、前記線処理機は、前記前面扉の開放状態から閉鎖状態へ向けた移動に伴って、前記線状体を引き戻す付勢力を有するものであることを特徴とする遊技機。
【００４８】
手段１８によれば、前面扉の開放状態から閉鎖状態へ向けた移動に伴って線処理機により線状体が巻き取られる。このため、前面扉を閉鎖状態とした場合に、遊技機本体と前面扉の間などに線状体を挟み込んでしまうといった不都合の発生を抑制することができる。これにより、遊技機外部への線状体の露出を規制することができ、ひいては、線状体の不正な切断の発生を抑制し、前面扉の不正開放を規制することができる。
【００４９】
手段１９．取付対象（島設備Ｓ、外枠１１）から遊技機前方への開放が可能とされ、前記取付対象に対して閉鎖状態にある場合に背面部が遊技機前方からの非露出状態となる遊技機本体（本体枠１３）と、
前記遊技機本体の前面側に設けられるとともに、該遊技機本体から遊技機前方への開放が可能とされ、前記遊技機本体に対して閉鎖状態にある場合に前記遊技機本体の前面部のうち少なくとも一部を非露出状態とする前面扉（前扉枠１４）と、
前記取付対象に取り付けられ、前記遊技機本体及び前面扉を支持する外枠（外枠１１）と
を備えた遊技機において、
線状体（ワイヤ２５５）を引き出したり引き戻したりする線処理機（巻取機２５１）及び当該線状体が連結される連結体（柱部材６５）を含んで構成されるロック装置における、前記線処理機が前記前面扉に設けられるとともに連結体が前記外枠に設けられ、
前記前面扉及び前記遊技機本体がいずれも前記閉鎖状態にあり、かつ前記線処理機又は連結体の他方が前記前面扉よりも遊技機後方に配置されていて前記線処理機による線状体の引き出しが禁止された場合に、前記前面扉の開放が規制されるものであることを特徴とする遊技機。
【００５０】
手段１９によれば、遊技機本体の背面部は、遊技機本体が取付対象に対して閉鎖状態にある場合に遊技機前方からの非露出状態となっており、遊技機本体の前面部のうち少なくとも一部は、前面扉が遊技機本体に対して閉鎖状態にある場合に非露出状態となっている。ここで、前面扉は遊技機本体の前面側に設けられているため、単に前面扉の遊技機前方への開放を規制するだけで、前面扉に加えて遊技機本体の遊技機前方への開放を同時に規制することが可能となる。また、遊技機本体及び前面扉は外枠に支持されている。
【００５１】
特に、線処理機を前面扉に設けるとともに連結体を外枠に設け、ロック装置にて線処理機による線状体の引き出しが禁止された場合に、前面扉の開放が規制される構成とした。このため、前面扉を開放させるには、ロック装置にて線処理機による線状体の引き出しの禁止を解除する必要がある。したがって、例えば不正行為者が遊技機本体及び前面扉を開放させようとしても、それが困難なものとなっている。故に、遊技機本体に対する前面扉の開放によって露出する部分及び遊技機本体の背面部への不正に対する抑止力を高めることができる。
【００５２】
また、前面扉において、その遊技機本体側に何らかの不正対象物が存在したり前面扉の遊技機本体側が不正対象となり得たりするのであれば、それらに対する不正抑止効果を得ることができる。
【００５３】
さらに、ロック装置にて線処理機による線状体の引き出しが禁止された場合、前面扉の開放が規制されるとともに、遊技機前方への前面扉の変位が規制されることとなる。このため、遊技機前方に向かう外力が前面扉に加えられても、遊技機本体と前面扉との間の領域の拡張が規制される。故に、遊技機本体と前面扉との間から不正道具等を差し入れるなどして行われる不正に対して抑止力を発揮することができる。
【００５４】
なお、本手段に対して、上記手段２乃至１８の各思想を適用可能である。
【００５５】
手段２０．取付対象（島設備Ｓ、外枠１１）から遊技機前方への開放が可能とされ、前記取付対象に対して閉鎖状態にある場合に背面部が遊技機前方からの非露出状態となる遊技機本体（本体枠１３）と、
前記遊技機本体の前面側に設けられるとともに、該遊技機本体から遊技機前方への開放が可能とされ、前記遊技機本体に対して閉鎖状態にある場合に前記遊技機本体の前面部のうち少なくとも一部を非露出状態とする前面扉（前扉枠１４）と
を備えた遊技機の設置構造において、
線状体（ワイヤ２５５）を引き出したり引き戻したりする線処理機（巻取機２５１）及び当該線状体が連結される連結体（柱部材６５）を含んで構成されるロック装置における、前記線処理機又は連結体の一方が前記前面扉に設けられるとともに他方が前記取付対象に設けられ、
前記前面扉及び前記遊技機本体がいずれも前記閉鎖状態にあり、かつ前記線処理機又は連結体の他方が前記前面扉よりも遊技機後方に配置されていて前記線処理機による線状体の引き出しが禁止された場合に、前記前面扉の開放が規制されるものであることを特徴とする遊技機の設置構造。
【００５６】
手段２０によれば、遊技機本体の背面部は、遊技機本体が取付対象に対して閉鎖状態にある場合に遊技機前方からの非露出状態となっており、遊技機本体の前面部のうち少なくとも一部は、前面扉が遊技機本体に対して閉鎖状態にある場合に非露出状態となっている。ここで、前面扉は遊技機本体の前面側に設けられているため、単に前面扉の遊技機前方への開放を規制するだけで、前面扉に加えて遊技機本体の遊技機前方への開放を同時に規制することが可能となる。
【００５７】
特に、ロック装置の線処理機又は連結体の一方を前面扉に設けるとともに、他方を前面扉よりも遊技機後方に配置し、ロック装置にて線処理機による線状体の引き出しが禁止された場合に、前面扉の開放が規制される構成とした。このため、前面扉を開放させるには、ロック装置にて線処理機による線状体の引き出しの禁止を解除する必要がある。したがって、例えば不正行為者が遊技機本体及び前面扉を開放させようとしても、それが困難なものとなっている。故に、遊技機本体に対する前面扉の開放によって露出する部分及び遊技機本体の背面部への不正に対する抑止力を高めることができる。
【００５８】
また、前面扉において、その遊技機本体側に何らかの不正対象物が存在したり前面扉の遊技機本体側が不正対象となり得たりするのであれば、それらに対する不正抑止効果を得ることができる。
【００５９】
さらに、ロック装置にて線処理機による線状体の引き出しが禁止された場合、前面扉の開放が規制されるとともに、遊技機前方への前面扉の変位が規制されることとなる。このため、遊技機前方に向かう外力が前面扉に加えられても、遊技機本体と前面扉との間の領域の拡張が規制される。故に、遊技機本体と前面扉との間から不正道具等を差し入れるなどして行われる不正に対して抑止力を発揮することができる。
【００６０】
なお、本手段に対して、上記手段２乃至１８の各思想を適用可能である。
【００６１】
手段２１．手段１乃至２０のいずれかにおいて、遊技機前方から視認可能な状態で前記遊技機本体の前面部に設けられ、遊技球が流下する遊技領域（遊技盤８１）と、
前記遊技領域を流下する遊技球が入球可能な入球部（一般入賞口８２、可変入賞装置８３、作動口８４）と、
前記遊技機本体の背面部に設けられ、前記入球部に遊技球が入球した場合に遊技者に特典を付与する制御を行う制御装置（主制御装置１６２等）と
を備えたことを特徴とする遊技機。
【００６２】
手段２１によれば、遊技領域を遊技機本体の前面部に設けるとともに制御装置を遊技機本体の背面部に設けたため、前面扉の開放を規制することで、遊技領域及び制御装置に対する不正の発生を抑制することができる。例えば、前面扉を遊技機本体から開放させ、露出した遊技領域の入球部に遊技球を不正に入賞させようとしても、それが困難なものとなっている。また、取付対象から遊技機本体を開放させ、制御装置に対して不正信号を入力して不正に特典を得ようとしても、それが困難なものとなっている。すなわち、いわゆるパチンコ機に対して上記手段１乃至２０のいずれかの効果を享受することができる。
【００６３】
手段２２．手段１乃至２０のいずれかにおいて、遊技機前方から視認可能な位置に設けられ、複数種の絵柄が変動表示される複数の絵柄表示領域と、遊技機前面部にて遊技球を貯留する貯留部と、該貯留部に貯留された遊技球を取り込む取込装置と、該取込装置による遊技媒体の取り込みを開始させるべく操作される取込開始操作手段と、各絵柄表示領域における絵柄の変動表示を開始させるべく操作される始動操作手段と、該各絵柄表示領域における絵柄の変動表示を停止させるべく操作される複数の停止操作手段とを備え、
前記取込装置により所定数の遊技媒体が取り込まれ、さらに前記始動操作手段が操作された場合に、各絵柄表示領域における絵柄の変動表示を開始させ、絵柄の変動表示の停止後に各絵柄表示領域に表示されている絵柄により所定絵柄又は所定絵柄の組み合わせが成立していた場合には遊技者に特典が付与される構成としたことを特徴とする遊技機。
【００６４】
手段２２によれば、パチンコ機とスロットマシンとが融合した遊技機に対して上記手段１乃至２０のいずれかの効果を享受することができる。
【発明を実施するための最良の形態】
【００６５】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００６６】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備Ｓ（図１４参照）に取り付け固定することにより、遊技ホールＨ（図１４参照）に設置される。
【００６７】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００６８】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００６９】
次に、前扉枠１４について説明する。なお、以下の説明では、図１〜図３を参照するとともに、前扉枠１４の背面の構成については図５を参照する。図５は、前扉枠１４の背面図である。
【００７０】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００７１】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００７２】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００７３】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００７４】
前扉枠１４の背面における回動基端側（図５の右側）には、その上端部及び下端部に突起軸６１，６２が設けられている。これら突起軸６１，６２は本体枠１３に対する組付機構を構成する。前扉枠１４の背面における回動先端側（図５の左側）には、図２に示すように、後方に延びる鉤金具６３が上下方向に複数並設されている。これら鉤金具６３は本体枠１３に対して前扉枠１４を施錠する扉施錠機構を構成する。また、前扉枠１４の背面において、回動先端側の上部には後方へ突出する柱部材６５が設けられている。
【００７５】
次に、本体枠１３について詳細に説明する。図６は本体枠１３の正面図である。
【００７６】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７７】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００７８】
また、図２に示すように、施錠装置には、本体枠１３を外枠１１に対して開放不能に施錠するための鉤金具５７が設けられている。より詳しくは、樹脂ベース７１の背面における回動先端側に、後方に延びる鉤金具５７が上下方向に複数並設されている。これら鉤金具５７は外枠１１に対して本体枠１３を施錠する本体施錠機構を構成する。鉤金具５７が、外枠１１に設けられた受け金具５８に係止されることによって、本体枠１３が外枠１１に対して開放不能に施錠される。
【００７９】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００８０】
本体枠１３の回動先端側の上部には、前扉枠１４の柱部材６５と対応する位置に前後方向へ貫通する貫通孔７８が設けられている。樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００８１】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００８２】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００８３】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００８４】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００８５】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００８６】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８７】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００８８】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００８９】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００９０】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００９１】
次に、本体枠１３の背面構成について説明する。図８は本体枠１３の背面図である。
【００９２】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００９３】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００９４】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【００９５】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９６】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９７】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【００９８】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【００９９】
入賞検知機構について説明すると、集合板ユニット１５０には、遊技盤８１表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【０１００】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１０１】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１０２】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１０３】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１０４】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１０５】
次に、裏パックユニット１５について説明する。図１２は裏パックユニット１５の正面図、図１３は裏パックユニット１５の分解斜視図である。
【０１０６】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１０７】
ベース部２１１には、その右上部に外部端子板２１３が設けられている。外部端子板２１３には各種の出力端子が設けられており、これらの出力端子を通じて遊技ホールＨ側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１０８】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールＨの島設備Ｓから供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１０９】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１１０】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１１１】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールＨの島設備Ｓ等へ遊技球を排出するように形成されており、上述した回収通路１５１等から排出通路２３１に導出された遊技球は当該排出通路２３１を通ることでパチンコ機１０外部に排出される。
【０１１２】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１１３】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１１４】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールＨの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１１５】
本実施の形態では、島設備Ｓに固定された外枠１１に対しての本体枠１３及び前扉枠１４の不正開放を規制する構成を実現している。そこで、以下において、その構成について詳細に説明する。図１４は、遊技ホールＨに設置されたパチンコ機１０を上方から見た略図であり、（ａ）は本体枠１３が外枠１１に対して閉鎖されかつ前扉枠１４が本体枠１３に対して閉鎖された状態、（ｂ）は本体枠１３が外枠１１に対して開放されかつ前扉枠１４が本体枠１３に対して開放された状態を示す。図１５は、本実施の形態におけるパチンコ機１０の管理システムの概要を示す構成図である。
【０１１６】
図１４に示すように、遊技ホールＨにおいて、パチンコ機１０は、外枠１１が島設備Ｓに取り付け固定されることで取付対象としての島設備Ｓに取り付けられている。島設備Ｓには、パチンコ機１０を正面から見てパチンコ機１０の右上部後方、すなわち前扉枠１４の柱部材６５の後方位置に巻取機２５１が設けられている。
【０１１７】
巻取機２５１には図示しないリールが設けられており、リールは正逆両方向への回転が可能となっている。リールは、図示しないバネなどの付勢部材により正回転方向に付勢されており、リールに対して外力が加えられていない場合にリールは正方向に回転し、付勢部材の付勢力に抗する外力がリールに加えられた場合にリールは逆方向に回転する。巻取機２５１には図示しないストッパが設けられており、そのストッパは保持位置及び解除位置への移動が可能となっている。ストッパが保持位置にある場合は巻取機２５１が保持状態にあり、ストッパが解除位置にある場合は巻取機２５１が解除状態にある。巻取機２５１が保持状態にある場合は、リールの逆方向への回転が阻止され、正方向への回転のみが可能となっている。巻取機２５１が解除状態にある場合は、リールの正逆両方向への回転が可能となっている。
【０１１８】
巻取機２５１はワイヤ２５５の巻き取りと繰り出しが可能となっている。より詳しくは、巻取機２５１のリールには鋼製のワイヤ２５５が巻回されている。ワイヤ２５５は可撓性を有しており、その一端がリールに固定されている。これにより、リールへのワイヤ２５５の巻回が可能となっている。リールが正回転することでワイヤ２５５が巻取機２５１に巻き取られ、リールが逆回転することでワイヤ２５５が巻取機２５１から繰り出される。
【０１１９】
巻取機２５１が保持状態にある場合、ワイヤ２５５の繰り出しが阻止され、ワイヤ２５５の巻き取りのみが可能となっている。巻取機２５１が解除状態にある場合、ワイヤ２５５の繰り出し及び巻き取りの両方が可能となっている。また、巻取機２５１が保持状態及び解除状態のいずれの状態にある場合でも、リールが正回転方向に付勢されているため、巻取機２５１は常にワイヤ２５５を巻き取る状態となっている。
【０１２０】
ワイヤ２５５の他端には金属製のフック２５６が接続されており、そのフック２５６は、外枠１１の内部及び本体枠１３の貫通孔７８を通して前扉枠１４の柱部材６５に引っ掛けられている。ここで、ワイヤ２５５は、巻取機２５１と柱部材６５とを連結する連結手段となり、巻取機２５１は、この巻取機２５１と柱部材６５との間でワイヤ２５５の長さを可変とする可変機能を有していることとなる。
【０１２１】
図２に示すように、前扉枠１４の柱部材６５は、金属製の柱部６６によって主要部が構成され、その柱部６６が遊技機後方（図５の手前）に向かって突出するようにして立設されている。柱部６６は、本体枠１３の樹脂ベース７１の厚さよりも長くなっている。柱部６６の一端には、柱部６６から遊技機側方に向かって突出した突出部６７が形成されており、その突出部６７がネジ等の固定具により前扉枠１４に固定されることで柱部材６５が前扉枠１４に取り付け固定されている。
【０１２２】
なお、突出部６７は前扉枠１４に固定されるものであればよいが、特に鉤金具６３を含む施錠装置に対して固定することが好ましい。これは、主要部が合成樹脂により構成されている前扉枠１４に対して、施錠装置はその主要部が金属により構成されているため、前扉枠１４に対する柱部材６５の固定強度が高められ、前扉枠１４から柱部材６５が外れてしまう可能性が低減されるからである。
【０１２３】
柱部６６は板面を左右に向けた矩形板状に形成されており、上下幅よりも左右幅が小さくなるように形成されている。そして、柱部６６が前扉枠１４の角隅部に配置されていることも相俟って、当該柱部６６の存在により遊技盤８１の設置可能領域を十分に広く取ることができるようになっている。また、柱部６６の他端（柱部材６５の遊技機前方側の端部であり、柱部６６の自由端側ともいうことができる。）には孔部６８が形成されている。孔部６８は、具体的には柱部６６を左右に貫通するものである。そして、その孔部６８に、巻取機２５１から延びるフック２５６が引っ掛けられている。
【０１２４】
図６に示すように、本体枠１３の貫通孔７８は、樹脂ベース７１を遊技機前後方向に貫通するものであり、柱部材６５，ワイヤ２５５及びフック２５６の貫通が可能な大きさとなっている。詳細には、前扉枠１４の開閉に伴い当該前扉枠１４と柱部材６５とが一体に回動するため、前扉枠１４の開閉の際に柱部材６５が貫通孔７８内周壁と干渉しないように、貫通孔７８の大きさ及び位置が設定されている。ここで、柱部材６５は上下幅よりも左右幅が小さくなっているため、本体枠１３の回動に伴う柱部材６５の先端が左右方向に移動する幅が小さくなり、貫通孔７８の左右方向の長さを極力小さくすることが可能となる。
【０１２５】
貫通孔７８の周囲には、金属製の貫通孔形成片７９が樹脂ベース７１に複数埋め込まれている。貫通孔形成片７９は樹脂ベース７１を貫通しており、それら貫通孔形成片７９により貫通孔７８が形成されている。なお、本体枠１３に対して前扉枠１４を閉鎖した状態においては、柱部材６５の後端は樹脂ベース７１よりも後方へ突出され、同様に孔部６８及びこれに引っ掛けられているフック２５６も樹脂ベース７１より後方へ突出されている。
【０１２６】
図１５に示すように、巻取機２５１は、外部操作手段としてのリモコン装置２６１による遠隔操作により制御される。リモコン装置２６１は、特定のパチンコ機１０に対する保持設定及び解除設定などの設定が可能となっている。リモコン装置２６１によるパチンコ機１０の指定は、リモコン装置２６１の図示しない信号発信部を指定したいパチンコ機１０に向けることのみで行うことができるようになっている。ここで、リモコン装置２６１にて解除設定が行われた場合にはリモコン装置２６１から解除信号が出力され、保持設定が行われた場合にはリモコン装置２６１から保持信号が出力される。指定されたパチンコ機１０に対応する巻取機２５１が解除信号を受信した場合、巻取機２５１は解除状態となりワイヤ２５５の繰り出しが可能となる。一方、巻取機２５１が保持信号を受信した場合、巻取機２５１は保持状態となりワイヤ２５５の繰り出しが不可となる。
【０１２７】
ここで、本体枠１３及び前扉枠１４の開放規制について説明する。
【０１２８】
図１４（ａ）では、前扉枠１４が本体枠１３に対して閉鎖状態にありかつ本体枠１３が外枠１１に対して閉鎖状態にある。すなわち、前扉枠１４が外枠に対して相対的に閉鎖状態にある。この場合、前扉枠１４の柱部材６５は閉鎖位置にあることとなる。柱部材６５は本体枠１３の貫通孔７８を貫通しており、柱部材６５の孔部６８は、本体枠１３と前扉枠１４との間の領域より後方に位置している。このため、その領域より後方に、孔部６８に引っ掛けられたフック２５６、及びワイヤ２５５が位置することとなる。
【０１２９】
巻取機２５１は、柱部材６５及び貫通孔７８の延長線上に設けられており、ワイヤ２５５は、柱部材６５と巻取機２５１との間にて直線状となっている。これは、巻取機２５１は常にワイヤ２５５を巻き取る状態となっており、ワイヤ２５５は柱部材６５と巻取機２５１との間で弛まないようになっているためである。
【０１３０】
前扉枠１４が外枠１１に対して相対的に閉鎖状態にある場合に、リモコン装置２６１にて保持設定が行われて巻取機２５１が保持状態となると、巻取機２５１からワイヤ２５５が繰り出されなくなり、柱部材６５と巻取機２５１との間にてワイヤ２５５が一定の長さ（特定長さ）にて保持される。このため、柱部材６５が閉鎖位置にて位置保持され、外枠１１に対する前扉枠１４の相対的な開放が規制される。すなわち、巻取機２５１からワイヤ２５５が繰り出されないため、施錠装置の解錠操作により外枠１１に対する本体枠１３の施錠を解錠しても、外枠１１に対して前扉枠１４を相対的に開放させることができず、本体枠１３に対する前扉枠１４の施錠を解錠しても、外枠１１に対して前扉枠１４を相対的に開放させることができない。
【０１３１】
本体枠１３はその前面側全体が前扉枠１４により覆われているため、前扉枠１４が外枠１１に対して相対的に閉鎖状態にある場合、本体枠１３を外枠１１に対して開放状態とすることが不可となっている。したがって、巻取機２５１により柱部材６５が閉鎖位置にて位置保持されると、外枠１１に対する前扉枠１４の相対的な開放が規制され、これにより本体枠１３に対する前扉枠１４の開放及び外枠１１に対する本体枠１３の開放が規制される。
【０１３２】
リモコン装置２６１にて解除設定が行われて巻取機２５１が解除状態となると、巻取機２５１からのワイヤ２５５の繰り出しが可能となり、閉鎖位置における柱部材６５の位置保持が解除され、外枠１１に対する前扉枠１４の相対的な開放の規制が解除される。この場合、施錠装置の解錠操作により外枠１１に対する本体枠１３の施錠を解錠すれば、外枠１１に対する本体枠１３の開放が可能となり、本体枠１３に対する前扉枠１４の施錠を開錠すれば、本体枠１３に対する前扉枠１４の開放が可能となる。
【０１３３】
図１４（ｂ）では、前扉枠１４が本体枠１３に対して開放された状態にありかつ本体枠１３が外枠１１に対して開放された状態にある。上記したように、ワイヤ２５５は柱部材６５と巻取機２５１との間で弛まないようになっているため、ワイヤ２５５は、貫通孔７８を頂点として、柱部材６５と貫通孔７８との間で直線状となっており、かつ貫通孔７８と巻取機２５１との間で直線状となっている。この場合、ワイヤ２５５は貫通孔形成片７９により保持される状態となっている。
【０１３４】
本体枠１３を外枠１１に対して開閉動作させると、本体枠１３は外枠１１と前扉枠１４との間で回動動作することとなる。ここで、巻取機２５１は解除状態となっているため、柱部材６５と巻取機２５１との間におけるワイヤ２５５の長さは本体枠１３の回動に伴い変化することとなる。本体枠１３が回動されると、本体枠１３の貫通孔７８は柱部材６５と巻取機２５１との間で曲線的に移動することとなる。本体枠１３は、貫通孔形成片７９にワイヤ２５５が当接した状態のまま回動することとなるため、ワイヤ２５５と本体枠１３の樹脂ベース７１との直接の接触が回避されている。
【０１３５】
次に、パチンコ機１０の電気的構成について、図１４のブロック図に基づいて説明する。図１４では、電力の供給ラインを二重線矢印で示し、信号ラインを実線矢印で示す。
【０１３６】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１３７】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１３８】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１３９】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１４０】
停電監視回路３０３は、主制御回路３０２と電源及び発射制御基板３２１とを中継し、また電源及び発射制御基板３２１から出力される最大電源である直流安定２４ボルトの電源を監視する。
【０１４１】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１４２】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１４３】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１４４】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１４５】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１４６】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１４７】
以上詳述した本実施の形態によれば、以下の優れた効果を奏する。
【０１４８】
前扉枠１４が外枠１１に対して相対的に閉鎖状態にある場合に、巻取機２５１が保持状態となると柱部材６５が閉鎖位置にて位置保持される構成としたため、外枠１１に対する前扉枠１４の相対的な開放を規制することができる。また、前扉枠１４により本体枠１３の前面側全体を覆う構成としたため、単に外枠１１に対する前扉枠１４の相対的な開放を規制するだけで、本体枠１３に対する前扉枠１４の開放及び外枠１１に対する本体枠１３の開放を規制することができる。これにより、前扉枠１４及び本体枠１３の不正開放を抑制することができる。
【０１４９】
例えば、前扉枠１４が本体枠１３に対して開放された場合、一般入賞口８２や作動口８４に不正に入賞させたり、可変入賞装置８３を強制的に開放状態として遊技球が入賞しやすい状態としたりして、所定数の賞球を払い出させて利益を得るという不正行為が行われるおそれがある。
【０１５０】
また、本体枠１３が外枠１１に対して開放された場合、主制御装置１６２や払出制御装置に対して不正が行われるおそれがある。例えば、不正行為として、本体枠１３の背面側に不正基板を設置し、不正基板から払出制御装置２４２に不正信号を入力することで払出装置２２４から強制的に遊技球を払い出させたり、一般入賞口８２や作動口８４に遊技球が入賞した際に主制御装置１６２に入力される信号と同等の信号を不正基板から主制御装置１６２に入力したりする不正が考えられる。
【０１５１】
以上の結果、本実施の形態では、パチンコ機１０内部を対象として行われる不正行為に対して抑止力を発揮することができるとともに、パチンコ機１０の背面側を対象として行われる不正行為に対して抑止力を発揮することができる。
【０１５２】
また、柱部材６５を閉鎖位置にて位置保持する構成としたため、遊技機前方への前扉枠１４の変位を規制することができる。したがって、仮に前扉枠１４が遊技機前方に強引に引っ張られても本体枠１３と前扉枠１４との間の領域の拡張を規制することができる。これにより、本体枠１３と前扉枠１４との間からの不正道具の差し込みをより困難なものとすることができる。故に、本体枠１３と前扉枠１４との間から不正道具などを遊技領域まで差し込み、不正道具により遊技球を誘導して一般入賞口８２や作動口８４に入賞させたり、不正道具により可変入賞装置８３を強制的に開放状態として遊技球が入賞しやすい状態としたりすることなどで所定数の賞球を払い出させて利益を得るという不正に対して、抑止力を発揮することができる。
【０１５３】
巻取機２５１のワイヤ２５５を前扉枠１４の柱部材６５に接続したため、巻取機２５１を保持状態とすることで、柱部材６５を閉鎖位置にて位置保持することが可能となる。また、巻取機２５１を解除状態とすることで、柱部材６５の位置保持を解除することが可能となる。したがって、前扉枠１４及び本体枠１３の不正開放を規制しつつ、ホール関係者などが前扉枠１４及び本体枠１３を正規に開放する際には、巻取機２５１を解除状態とするだけでそれらの開放が可能となる。
【０１５４】
巻取機２５１をパチンコ機１０の後方に設けたため、前扉枠１４の柱部材６５と巻取機２５１との間におけるワイヤ２５５を一定の長さより長くならないようにすることで、前扉枠１４の前方への開放を規制することができる。さらに、巻取機２５１をパチンコ機１０の前方に設けた場合は、前扉枠１４の開放を規制する構成が複雑なものとなると考えられる。仮に、その構成が実現されても、巻取機２５１やワイヤ２５５が前扉枠１４及び本体枠１３の開放の支障となる可能性があるが、本実施の形態では、巻取機２５１やワイヤ２５５が支障とならずに前扉枠１４及び本体枠１３を開放することができる。
【０１５５】
巻取機２５１のリールを、ワイヤ２５５を巻き取る方向（正回転方向）に付勢手段により付勢される構成としたため、前扉枠１４の閉鎖動作に伴い巻取機２５１にてワイヤ２５５を巻き取ることができる。これにより、例えば、前扉枠１４を外枠１１に対して相対的に閉鎖状態としても、ワイヤ２５５の弛みの発生を抑制することができる。故に、本体枠１３及び前扉枠１４の閉鎖動作に伴い外枠１１と本体枠１３との間や本体枠１３と前扉枠１４との間にワイヤ２５５を挟み込んでしまうといった不都合の発生を抑制することができる。
【０１５６】
前扉枠１４の柱部材６５と巻取機２５１とを可撓性を有する鋼製のワイヤ２５５により連結したため、前扉枠１４の開閉動作に応じてワイヤ２５５の長さを調節することが可能となり、前扉枠１４の開閉動作を円滑なものとすることが可能となる。また、巻取機２５１のリールにワイヤ２５５を巻回することが可能となるため、前扉枠１４が外枠１１に対して相対的に閉鎖状態にある場合でも、ワイヤ２５５を巻取機２５１にてコンパクトにまとめることができる。さらに、ワイヤ２５５に十分な強度を持たせることが可能となるため、前扉枠１４を強引に遊技機前方に引っ張ることでワイヤ２５５を引き伸ばそうとしたり、ワイヤ２５５を切断したりしようとしても、それが非常に困難なものとなっている。故に、本体枠１３及び前扉枠１４の不正開放をより好適に規制することができる。
【０１５７】
前扉枠１４が外枠１１に対して相対的に閉鎖状態にある場合、本体枠１３と前扉枠１４との間の領域より後方にワイヤ２５５が位置する構成としたため、本体枠１３と前扉枠１４との間にてワイヤ２５５が切断されるといった不都合を抑制することができる。本体枠１３と前扉枠１４との間には柱部材６５が位置しているが、柱部材６５を金属性としたため、柱部材６５を強引に切断しようとしてもそれが困難なものとなっている。故に、本体枠１３及び前扉枠１４の不正開放をより好適に規制することができる。
【０１５８】
本体枠１３の貫通孔７８を金属性の貫通孔形成片７９により形成したため、本体枠１３の回動動作に伴いワイヤ２５５と貫通孔形成片７９とが擦り合わされても、貫通孔７８の不要な拡大を抑制することができる。
【０１５９】
本体枠１３が外枠１１に回動可能に支持され、前扉枠１４が本体枠１３の回動基端側に回動可能に支持されているため、前扉枠１４の回動先端側のみを遊技機前方への移動を規制するだけで、本体枠１３及び前扉枠１４の開放を規制することができる。また、換言すれば、前扉枠１４では回動基端側が回動先端側より大きく開放されることが規制されている。したがって、例えば、柱部材６５を前扉枠１４の回動基端側に設けた場合、巻取機２５１からワイヤ２５５が少しだけ繰り出されると、前扉枠１４の開放が回動基端側では僅かなものであっても回動先端側では大きなものとなるおそれがあるが、柱部材６５を前扉枠１４の回動先端側に設けたため、仮に巻取機２５１からワイヤ２５５が少しだけ繰り出されても前扉枠１４の開放を回動基端側ではもちろん回動先端側でも僅かなものとすることができる。
【０１６０】
柱部材６５を前扉枠１４の上部に設けるとともに、貫通孔７８を本体枠１３の上部に設け、さらに巻取機２５１を柱部材６５及び貫通孔７８の延長線上に設けたため、前扉枠１４が開放状態にある場合、ワイヤ２５５がパチンコ機１０の上部にて柱部材６５と巻取機２５１とを連結する状態となる。したがって、ホール管理者が本体枠１３及び前扉枠１４を開放させて、遊技機内部のメンテナンスなどを行う場合、ワイヤ２５５がその作業の支障になるといった不都合を抑制することができる。例えば、ワイヤ２５５がパチンコ機１０の中央部や下部に位置している場合、ワイヤ２５５が邪魔となり作業時に顔や体などをパチンコ機１０に十分に近づけることが困難なものとなり、作業性が低下するおそれがある。これに対し、本実施の形態では、メンテナンスなどの作業性の低下を抑制することができる。
【０１６１】
巻取機２５１を遊技ホールＨに設置したため、パチンコ機１０側には、前扉枠１４に柱部材６５を設けるだけで、前扉枠１４及び本体枠１３の不正開放を規制する構成を実現することができる。したがって、不正対策に要するコストの低減を図ることが可能となる。また、パチンコ機１０を遊技ホールＨに新規に設置した場合、ワイヤ２５５のフック２５６を前扉枠１４に設けられた柱部材６５の孔部６８に引っ掛けるだけで、ワイヤ２５５を前扉枠１４に取り付けることができる。このため、より簡易な作業により前扉枠１４及び本体枠１３の不正開放を規制する構成を実現することができる。さらに、パチンコ機１０を入れ替えても、新規のパチンコ機１０に同じ巻取機２５１を使用することが可能なため、不正対策に要するコストの低減をより一層図ることが可能となる。
【０１６２】
巻取機２５１をリモコン装置２６１による遠隔操作が可能な構成としたため、リモコン装置２６１にて巻取機２５１を保持状態とした場合、リモコン装置２６１にて解除設定をしない限りは、本体枠１３及び前扉枠１４を開放状態とすることができない。通常、リモコン装置２６１はホール管理者が所持しているため、仮に不正行為者が不正に本体枠１３及び前扉枠１４を開放しようとしても、その不正開放を行うことができない。故に、仮に本体施錠機構及び扉施錠機構が解錠されている場合でも、本体枠１３及び前扉枠１４の不正開放を規制することができる。
【０１６３】
施錠装置が扉施錠機構を有する構成としたため、巻取機２５１が解除状態にある場合でも、本体枠１３に対する前扉枠１４の閉鎖状態を保持することができる。例えば、主制御装置１６２などのメンテナンスを行う場合に、その閉鎖状態を保持しつつ、外枠１１から本体枠１３を開放させ、主制御装置１６２などを露出させることが可能となる。この場合、作業終了後は、本体枠１３を外枠１１に対して閉鎖状態とするだけで、巻取機２５１を保持状態とすることが可能になる。これに対し、本体枠１３の開放とともに前扉枠１４も開放される構成の場合、作業終了後、本体枠１３に加えて前扉枠１４も閉鎖状態とする必要がある。故に、より簡易な操作により、巻取機２５１が保持状態に可能な状態とすることができる。
【０１６４】
施錠装置が本体施錠機構を有する構成としたため、巻取機２５１が解除状態にある場合でも、外枠１１に対する本体枠１３の閉鎖状態を保持することができる。例えば、遊技領域において、遊技球の球詰まりが発生した場合、ホール管理者などがその球詰まりを解消する際に、前扉枠１４を本体枠１３に対して開放させる必要がある。この場合、本体枠１３を外枠１１から開放させることなく作業を行うことができる。これに対し、前扉枠１４の開放とともに本体枠１３も開放される構成の場合、球詰まりを解消する際に、遊技者などに主制御装置１６２など本体枠１３の背面側が見られるおそれがある。不正行為者に本体枠１３の背面側を見られると新たな不正方法を考案されるおそれがあるため、本体枠１３の背面側は不要に開放しない構成とすることが望ましい。故に、不正対策を講じつつ、球詰まり解消の作業を行うことができる。
【０１６５】
なお、上述した実施の形態の記載内容に限定されず、例えば次のように実施してもよい。
【０１６６】
（ａ）巻取機２５１の設置位置は、前扉枠１４の後方位置であれば、外枠１１より後方位置でもよく、前後方向にて外枠１１と重なるような位置でもよい。これらいずれの設置位置でも、巻取機２５１を保持状態とすることで前扉枠１４の開放を規制することができる。
【０１６７】
（ｂ）上記実施の形態では、巻取機２５１を島設備Ｓに取り付けたが、図１７に示すように、巻取機２５１を外枠１１に取り付けてもよい。図１７において、巻取機２５１は、柱部材６５及び貫通孔７８の延長線上に位置するように外枠１１の内周側、例えば側板部の内側面に取り付けられている。巻取機２５１による巻き取りが可能なワイヤ２５５は、フック２５６を介して柱部材６５に接続されている。この場合、巻取機２５１がパチンコ機１０に備えられていることとなるため、パチンコ機１０自身にて、前扉枠１４及び本体枠１３の不正開放を規制する構成を実現することができる。したがって、パチンコ機１０の他に巻取機を島設備Ｓなどに別に設置する必要がなく、例えば遊技ホールＨにパチンコ機１０を新規に設置する際の設置作業をより簡易なものとすることができる。また、パチンコ機１０を外枠１１とともに入れ替える場合、前扉枠１４の柱部材６５からフック２５６を取り外す必要がないため、この場合でも、その入れ替え作業をより簡易なものとすることができる。
【０１６８】
（ｃ）上記実施の形態では、巻取機２５１が柱部材６５を本体枠１３の貫通孔７８を介して位置保持する構成としたが、貫通孔７８を介さずに位置保持する構成としてもよい。例えば、本体枠１３に切欠部を設け、その切欠部を介して巻取機２５１が柱部材６５を位置保持する構成とする。この場合、本体枠１３に設けた切欠部から遊技機内部や本体枠１３の背面側に不正道具などが差し込まれるおそれがあるため、上記実施の形態で説明したように巻取機２５１が柱部材６５を貫通孔７８を介して位置保持する構成とすることが好ましい。
【０１６９】
（ｄ）上記実施の形態では、巻取機２５１を島設備Ｓに設け、柱部材６５を前扉枠１４に設けたが、巻取機２５１を前扉枠１４に設け、柱部材６５を島設備Ｓに設けてもよい。但し、この場合、巻取機２５１は柱部材６５に比べて大きな装置になるため、前扉枠１４の構成が複雑なものになる可能性がある。また、巻取機２５１は柱部材６５に比べて重くなるため、前扉枠１４を本体枠１３に対して回動可能に支持する構成をより高強度のものとする必要がある可能性がある。これらのことより、前扉枠１４には柱部材６５を設ける方が望ましい。
【０１７０】
（ｅ）上記実施の形態では、前扉枠１４により本体枠１３の前面側全体が覆われる構成としたが、前扉枠１４により本体枠１３の前面側の全体ではなく一部が覆われる構成としてもよい。この場合でも、単に外枠１１に対する前扉枠１４の相対的な開放を規制するだけで、本体枠１３に対する前扉枠１４の開放及び外枠１１に対する本体枠１３の開放を規制することができる。
【０１７１】
（ｆ）上記実施の形態では、前扉枠１４が外枠１１に対して相対的に閉鎖状態にある場合に、本体枠１３を外枠１１に対して開放不可な構成としたが、本体枠１３を外枠１１に対して開放可能な構成としてもよい。この場合、柱部材６５が閉鎖位置にて位置保持される場合に、例えば貫通孔形成片７９なども位置保持される構成とする必要がある。例えば、柱部材６５と貫通孔形成片７９とを結合手段により結合し、その結合手段を位置保持することで柱部材６５及び貫通孔形成片７９を位置保持する構成とする。これにより、外枠１１に対する前扉枠１４の相対的な開放を規制することとなり、外枠１１からの本体枠１３の開放及び本体枠１３からの前扉枠１４の開放を個別に規制することができる。
【０１７２】
（ｇ）上記実施の形態では、前扉枠１４に柱部材６５を設けその柱部材６５の孔部６８にフック２５６を引っ掛けることでワイヤ２５５を前扉枠１４に接続する構成としたが、前扉枠１４にワイヤ２５５を直接接続する構成としてもよい。但し、この場合、前扉枠１４へのワイヤ２５５の接続及び解除を簡易な作業にて行うことができる構成とすることが望ましい。これにより、パチンコ機１０の入れ替えに際して、より簡易な作業にてパチンコ機１０を前扉枠１４及び本体枠１３の不正開放を規制する構成とすることができる。
【０１７３】
（ｈ）上記実施の形態では、前扉枠１４の閉鎖動作に伴いワイヤ２５５が巻取機２５１により巻き取られる構成としたが、前扉枠１４の閉鎖動作に伴い余剰となったワイヤ２５５を手動で巻取機２５１に巻き取る構成としてもよい。但し、この場合、前扉枠１４及び本体枠１３を閉鎖状態とした場合に、ワイヤ２５５を本体枠１３と前扉枠１４との間などに挟み込んでしまうおそれがある。したがって、上記実施の形態で説明したように前扉枠１４の閉鎖動作に伴いワイヤ２５５が巻取機２５１により巻き取られる構成とすることが好ましい。
【０１７４】
（ｉ）上記実施の形態では、前扉枠１４を閉鎖させることでワイヤ２５５が巻取機２５１に巻き取られる構成としたが、ワイヤ２５５が巻取機２５１に巻き取られることで前扉枠１４が閉鎖する構成としてもよい。例えば、前扉枠１４が開放されている状態においてリモコン装置２６１により保持設定が行われた場合に、前扉枠１４がワイヤ２５５に引っ張られて閉鎖状態となり、柱部材６５が閉鎖位置にて位置保持される構成とする。これにより、前扉枠１４及び本体枠１３の不正開放を規制するのみならず、前扉枠１４の自動閉鎖をも実現することができる。
【０１７５】
（ｊ）上記実施の形態では、巻取機２５１にてワイヤ２５５の巻き取りが可能な構成としたが、ワイヤ２５５の長さの調節が可能なだけで巻取機２５１にワイヤ２５５を巻き取らない構成としてもよい。但し、この場合、ワイヤ２５５がパチンコ機１０の背面側や島設備Ｓ内にて絡まるおそれがあるため、上記実施の形態で説明したように巻取機２５１にてワイヤ２５５の巻き取りが可能な構成とすることが好ましい。
【０１７６】
（ｋ）上記実施の形態では、柱部材６５と巻取機２５１とを鋼製のワイヤ２５５により連結する構成としたが、ロープなどにより連結する構成としてもよい。但し、この場合、ロープが切断されることで、本体枠１３及び前扉枠１４が不正に開放されるおそれがあるため、上記実施の形態で説明したように柱部材６５と巻取機２５１とを鋼製のワイヤ２５５により連結する構成とすることが好ましい。
【０１７７】
（ｌ）上記実施の形態では、巻取機２５１を、リモコン装置２６１による遠隔操作により保持状態又は解除状態となる構成としたが、パチンコ機１０に設けた操作部により保持状態又は解除状態となる構成としてもよい。例えば、操作部が保持操作されることで巻取機２５１が保持状態となり、操作部が解除操作されることで巻取機２５１が解除状態となる構成とする。但し、この場合、不正行為者により、操作部による保持状態が強引に解除されるおそれがある。このため、上記実施の形態で説明したように巻取機２５１を遠隔操作により保持状態又は解除状態となる構成とすることが好ましい。
【０１７８】
（ｍ）上記実施の形態では、無線通信にてリモコン装置２６１により巻取機２５１を遠隔操作する管理システムとしたが、有線通信にてリモコン装置２６１により巻取機２５１を遠隔操作する管理システムとしてもよい。この場合、巻取機２５１に対する操作の信頼性を高めることが可能となる。
【０１７９】
（ｎ）取付対象から遊技機前方への開放が可能な遊技機本体と、遊技機本体の前面側に設けられ遊技機本体から遊技機前方への開放が可能な前面扉とを有する遊技機であれば、上記実施の形態とは異なる他のタイプの遊技機、例えば他の役物を備えたパチンコ機、メダルに代えて遊技球（パチンコ球）を使用する球使用タイプの回胴式遊技機にも適用できる。
【０１８０】
球使用タイプの回胴式遊技機では、外周に複数の図柄が付されたリール装置（回胴装置）、遊技者により操作されるベットスイッチやスタートレバー等の装置類、遊技球の取込を許可又は禁止すると共に順次取り込まれる遊技球をカウントするための取込装置などが設けられる。この場合、球受皿に貯留された遊技球は、整列通路部及び取込口を介して取込装置に導かれる。そして、遊技者によるベットスイッチの操作に伴い取込装置で遊技球の取込が行われ、その取り込まれた遊技球数に応じて毎回の遊技の開始（スタートレバー操作に伴うリール回転）が許容される。
【図面の簡単な説明】
【０１８１】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】遊技ホールに設置されたパチンコ機を上方から見た略図である。
【図１５】パチンコ機の管理システムの概要を示す構成図である。
【図１６】パチンコ機の電気的構成を示すブロック図である。
【図１７】別のパチンコ機の主要な構成を展開して示す斜視図である。
【符号の説明】
【０１８２】
１０…遊技機としてのパチンコ機、１１…外枠、１３…遊技機本体としての本体枠、１４…前面扉としての前扉枠、５７…施錠装置を構成する鉤金具、６５…連結体としての柱部材、７８…線通路部としての貫通孔、８１…遊技領域としての遊技盤、８２…入球部を構成する一般入賞口、８３…入球部を構成する可変入賞装置、８４…入球部を構成する作動口、１６２…主制御装置、２５１…線処理機としての巻取機、２５５…線状体としてのワイヤ、Ｓ…取付対象としての島設備。
【図１】
2008220809.tif 000003
【図２】
2008220809.tif 000004
【図３】
2008220809.tif 000005
【図４】
2008220809.tif 000006
【図５】
2008220809.tif 000007
【図６】
2008220809.tif 000008
【図７】
2008220809.tif 000009
【図８】
2008220809.tif 000010
【図９】
2008220809.tif 000011
【図１０】
2008220809.tif 000012
【図１１】
2008220809.tif 000013
【図１２】
2008220809.tif 000014
【図１３】
2008220809.tif 000015
【図１４】
2008220809.tif 000016
【図１５】
2008220809.tif 000017
【図１６】
2008220809.tif 000018
【図１７】
2008220809.tif 000019